(57)【特許請求の範囲】
【請求項１】
ベースの後部に室外熱交換器と、ドレン水をかき上げるスリンガリング付きプロペラファンと、導風板とを載置し、前記プロペラファンの下にドレン水を受ける凹部を設け、前部一側に圧縮機を、他側に電装品箱を、中央に前記プロペラファンを駆動するファンモータ等をそれぞれ載置し、前端部中央に、室内機よりの配管を接続する二方弁、三方弁等の接続弁と、同接続弁の下方に同接続弁よりの結露水および室内機よりドレン排水管等により誘導されたドレン水を受ける排水受皿とを突設させ、同排水受皿の水を前記凹部に導水する導水手段を設けてなり、前記ベースを前後を開口し、側面に室外空気を吸い込む吸込口を設けた外胴に収納し、同外胴の前面開口に前記接続弁および排水受皿に対応する第１の切欠孔と、前記電装品箱に対応する第２の切欠孔とを形成した前面カバーを取り付け、前記第１の切欠孔に前記接続弁を覆う弁カバーを、前記第２の切欠孔に電装品箱を覆う電装品箱カバーを被着するようにしたことを特徴とする空気調和機の室外機。
【請求項２】
前記電装品箱を、前記前面カバーに形成した第２の切欠孔に開口して臨ませたことを特徴とする請求項１記載の空気調和機の室外機。
【請求項３】
前記電装品箱カバーに、前面に突出し、下方に電線を挿通する開口を形成した突出部を設けたことを特徴とする請求項１記載の空気調和機の室外機。
【請求項４】
前記導水手段を、前記排水受皿を延出して形成したことを特徴とする請求項１記載の空気調和機の室外機。
【請求項５】
前記導水手段を、前記ベースの略中央部に前記排水受皿より排水されるドレン水を前記凹部に導水する導水溝を設けてなることを特徴とする請求項１記載の空気調和機の室外機。
【請求項６】
前記排水受皿に、筒状の排水口を設け、排水受皿のドレン水を前記導水溝に排水するようにしたことを特徴とする請求項５記載の空気調和機の室外機。
【請求項７】
前記排水受皿に、下方に傾斜したトイを設け、排水受皿のドレン水を前記導水溝に排水するようにしたことを特徴とする請求項５記載の空気調和機の室外機。
【請求項８】
前記接続弁を、前記ベース後端部に立設した接続弁取付具に固定し、同接続弁取付具を前記第１の切欠孔に臨ませたことを特徴とする請求項１記載の空気調和機の室外機。
【請求項９】
前記接続弁の室内配管接続部を上方に、弁開閉部を前方に向けて配置したことを特徴とする請求項８記載の空気調和機の室外機。
【請求項１０】
前記第１の切欠孔に、前記接続弁を覆う弁カバーを設けたことを特徴とする請求項８記載の空気調和機の室外機。
【請求項１１】
前記弁カバーを、前記排水受皿と一体に形成したことを特徴とする請求項９記載の空気調和機の室外機。
【請求項１２】
前記弁カバーに、前記接続弁の弁開閉部に対応する挿通孔を設けたことを特徴とする請求項１０または請求項１１記載の空気調和機の室外機。
【発明の詳細な説明】
【０００１】
【発明の属する技術分野】
本発明は、空気調和機の室外機に係わり、とくに、コストを低減して配管工事性を向上さると共に、室内機より排水されるドレン水を利用して、熱交換効率を高めたものに関する。
【０００２】
【従来の技術】
従来、図１に示すように、予め住宅の外側に空気調和機載置台５１と屋根５２を備えた空気調和機の取付窓５０に取り付けられる分離形の空気調和機の室外機は、図７および図８に示すように、ベース１の後部に、室外熱交換器２と、プロペラファン３と、導風板４とを配設し、前部一側に圧縮機５と電装品箱カバー６ａを被着した電装品箱６を、他側に二方弁７ａ、三方弁７ｂ等の接続弁７を、中央に前記プロペラファン３を駆動するファンモータ８等を配設してなり、前記ベース１を側面に室外空気を吸い込む吸込口９ａと、前記接続弁７に接続し、室内機３０よりの配管３１を接続する内部配管１０をシール用パッキン１１を介して挿通する挿通孔９ｂとを設けた外胴９に収納し、同外胴９の前面に前面カバー１２を取り付けるようにしていた。
【０００３】
そして、前記内部配管１０は、室外機本体とは別の貼付品として梱包しており、取り付け工事の際、前記前面カバー１２を外して、この内部配管１０を前記接続弁７に接続し、前記挿通孔９ｂにシール用パッキン１１を介して挿通し、室内機３０よりの配管３１を接続していた。
一方、室内機３０よりの電線３２は、前記挿通孔９ｂからシール用パッキン１１を介して挿入し、電装品箱カバー６ａを外して電装品箱６内に接続後、電装品箱カバー６ａを再度被着した後、前面カバー１２を再度取り付けるようにしていた。
しかし、この構成では、室内機３０の配管接続を外胴９の側面で行うため、配管３１の取り回しに自由度がなく、取付窓５０の開口幅を広くしなければならないばかりか、工事性にも問題があった。
【０００４】
また、室内機３０の配管３１を直接接続弁７に接続できず、内部配管１０、シール用カッキン１１等を必要とし、部品点数が多く、部品コスト、工事コストの高いものとなっていた。
また、室内機３０よりのドレン水の排水は、室内機３０の配管３１の束とは別に延ばしたドレン排水管３３を排水口まで配管処理するようにしていた。
【０００５】
【発明が解決しようとする課題】
本発明は以上述べた問題点を解決し、部品点数を削減して部品コストを低減すると共に、配管の取り回しを改善して配管工事性を良好とし、取付窓の開口幅を狭くでき、また、ドレン排水管の処理を簡単にすると共に、ドレン水を有効利用して熱交換効率を向上した空気調和機の室外機を提供することを目的としている。
【０００６】
【課題を解決するための手段】
本発明は上述の課題を解決するため、ベースの後部に室外熱交換器と、ドレン水をかき上げるスリンガリング付きプロペラファンと、導風板とを載置し、前記プロペラファンの下にドレン水を受ける凹部を設け、前部一側に圧縮機を、他側に電装品箱を、中央に前記プロペラファンを駆動するファンモータ等をそれぞれ載置し、前端部中央に、室内機よりの配管を接続する二方弁、三方弁等の接続弁と、同接続弁の下方に同接続弁よりの結露水および室内機よりドレン排水管等により誘導されたドレン水を受ける排水受皿とを突設させ、同排水受皿の水を前記凹部に導水する導水手段を設けてなり、前記ベースを前後を開口し、側面に室外空気を吸い込む吸込口を設けた外胴に収納し、同外胴の前面開口に前記接続弁および排水受皿に対応する第１の切欠孔と、前記電装品箱に対応する第２の切欠孔とを形成した前面カバーを取り付け、前記第１の切欠孔に前記接続弁を覆う弁カバーを、前記第２の切欠孔に電装品箱を覆う電装品箱カバーを被着するようにした空気調和機の室外機とする。
【０００７】
また、前記電装品箱を、前記前面カバーに形成した第２の切欠孔に開口して臨ませるようにした。
【０００８】
また、前記電装品箱カバーに、前面に突出し、下方に電線を挿通する開口を形成した突出部を設けるようにした。
【０００９】
前記導水手段を、前記排水受皿を延出して形成した。
【００１０】
前記導水手段を、前記ベースの略中央部に前記排水受皿より排水されるドレン水を前記凹部に導水する導水溝を設けて構成した。
【００１１】
また、前記排水受皿に、筒状の排水口を設け、排水受皿のドレン水を前記導水溝に排水するようにした。
また、前記排水受皿に、下方に傾斜したトイを設け、排水受皿のドレン水を前記導水溝に排水するようにした。
【００１２】
前記接続弁を、前記ベース後端部に立設した接続弁取付具に固定し、同接続弁取付具を前記第１の切欠孔に臨ませるようにした。
【００１３】
前記接続弁の室内配管接続部を上方に、弁開閉部を前方に向けて配置するようにした。
【００１４】
前記第１の切欠孔に、前記接続弁を覆う弁カバーを設けるようにした。
【００１５】
前記弁カバーを、前記排水受皿と一体に形成した。
【００１６】
前記弁カバーに、前記接続弁の弁開閉部に対応する挿通孔を設けるようにした。
【００１７】
【発明の実施の形態】
以上のように構成したので、本発明の空気調和機の室外機においては、ベースの前端部中央に、二方弁、三方弁等の接続弁を突設させたので、室内機よりの配管を直接、この接続弁に接続でき、内部配管等の部品が節約できると共に、配管接続作業が取付窓の中央部で行うことができるので工事性を良好とすることができる。
【００１８】
また、この接続弁の下方に、接続弁より滴下する結露水および、室内機よりの配管、配線等と一緒に束ねられたドレン排水管により誘導されたドレン水を受ける排水受皿とを突設させ、同排水受皿のドレン水をベース後部に設けた凹部に導水手段により導水し、凹部に溜まった水をスリンガリングによりかき上げて室外熱交換器に吹きつけるので、ドレン水の処理と同時に、ドレン水を有効活用して熱交換効率を向上させることができる。
【００１９】
また、前記導水手段を、前記ベースの略中央部に前記排水受皿より排水されるドレン水を前記凹部に導水する導水溝を設けて構成したので、排水受皿で受けたドレン水等を部品の追加なしに凹部に導水することができる。
【００２０】
また、電装品箱を、前記前面カバーに形成した第２の切欠孔に開口して臨ませ、この第２の切欠孔に電装品箱カバーを被着するようにしたので、前面カバーを外さずに電装品箱カバーを外すことができる。
【００２１】
また、前記接続弁を、前記ベース後端部に立設した接続弁取付具に固定し、同接続弁取付具を前記第１の切欠孔に臨ませたので、前記第１の切欠孔から接続弁を突出すると共に、第１の切欠孔を接続弁取付具により塞ぐことができる。
また、前記第１の切欠孔に、前記接続弁を覆う弁カバーを設けたので、外観上も良好で、接続弁による熱交換を最小限に止めることができる。
また、この弁カバーを前記排水受皿と一体に形成したので部品点数を増えることがない。
また、前記弁カバーに、前記接続弁の弁開閉部に対応する挿通孔を設けたので弁カバーを外さなくとも配管接続が可能となる。
【００２２】
【実施例】
以下、図面に基づいて本発明による空気調和機の室外機を詳細に説明する。
図１は従来および本発明による空気調和機の室外機の概略据付図、図２は本発明による空気調和機の室外機の一実施例を示す外観斜視図、図３は同分解斜視図、図４は要部側断面図、図５は同接続弁および排水受皿の実施例を示す要部拡大断面図である。
図において、図１と同一機能に同一記号を使用しており、図１については、従来の技術の項で説明したので、説明を省略する。
図に示すように、ベース１の後部に室外熱交換器２と、スリンガリング３ａ付きプロペラファン３と、導風板４とを載置した。
そして、前記スリンガリング３ａ付きプロペラファン３の下に、ドレン水を受ける凹部２０を設け、同凹部２０に溜まった水をスリンガリング３ａでかき上げて前記室外熱交換器２に吹きつけるようにした。
【００２３】
また、ベース１の前部の一側に圧縮機５を、他側に前方を開口する電装品箱６を、中央に前記プロペラファン３を駆動するファンモータ８等を配設し、前端部中央に、室内機３０よりの配管を接続する二方弁７ａ、三方弁７ｂ等の接続弁７と、同接続弁７の下方に同接続弁７よりの結露水および室内機３０よりドレン排水管３３等により誘導されたドレン水を受ける排水受皿２１とを突設させ、この排水受皿２１の水を導水手段により前記凹部２０に導水するようにしている。
この二方弁７ａ、三方弁７ｂ等の接続弁７を、前記ベース１後端部に立設した接続弁取付具２２に固定するようにし、この接続弁７の室内配管接続部７ｃを上方に、弁開閉部７ｄを前方に向けて配置している。
また、前記導水手段を、図５−（Ａ）に示すように、前記排水受皿２１の後部に筒状の排水孔２１ａを設け、ベースの略中央部に、同排水孔２１ａより排水される水を前記凹部２０に導水する導水溝２４を設けることにより、排水受皿２１で受けたドレン水等を凹部２０に導水するようにしている。
また、この導水溝２４を凹部２０側に低く傾斜させて水の流れを良くしている。
また、図５−（Ｂ）に示すように、下方に傾斜するトイ２１ｂを設け、排水受皿２１のドレン水を導水溝２４に排水するようにしてもよい。
【００２４】
そして、前記ベース１を、側面に室外空気を吸い込む吸込口９ａを設けた外胴９に収納している。
そして、この外胴９の前面には前記接続弁７および排水受皿２１に対応する第１の切欠孔１２ａと、前記電装品箱６に対応する第２の切欠孔１２ｂとを形成した前面カバー１２を取り付けている。
この第１の切欠孔１２ａに前記接続弁７を覆う弁カバー２３を、前記第２の切欠孔１２ｂに電装品箱６を覆う電装品箱カバー２５を被着するようにしている。
【００２５】
また、図５に示すように、この弁カバー２３を前記排水受皿２１と一体に形成して部品点数を減らすようにしてもよく、この弁カバー２３に、前記接続弁７の弁開閉部７ｄに対応する挿通孔２３ａを設けてこの弁カバー２３を外さなくとも配管接続作業を可能としている。
【００２６】
図６は本発明による空気調和機の室外機の他の実施例を示す要部拡大断面図である。
図に示すように、前記電装品箱カバー２５には室内機３０から電装品箱に配線接続される電線を挿通する開口２５ａを下方に設けた突出部２５ｂを設けている。
【００２７】
以上の構成において、まず、その配管等の工事手順を説明する。
まず、室内機３０より出力される配管３１、電線３２およびドレン排水管３３を束ねて、取付窓５０の配管孔５１より室外に引き出し、配管３１を所定の接続弁７（二方弁７ａまたは三方弁７ｂ）の室内配管接続部７ｃに接続し、必要に応じて挿通孔２３ａより弁開閉部７ｄに六角レンチ等の工具を挿入して弁を開く。
このとき、ドレン排水管３３の排水口をドレン水が前記排水受皿２１に滴下するように排水受皿２１の上方に臨ませるようにする。
つぎに、電装品箱カバー２５を外して前記電線３２を、電装品箱６の図示しない端子板に接続し、同電線３２が電装品箱カバー２４の開口２４ａより挿入されるように再び電装品箱カバー２５を取り付けるようにしている。
【００２８】
つぎに、その動作を説明する。
室内機３０より導入されたドレン水はドレン排水管３３を通して排水受皿２１に滴下され、二方弁７ａまたは三方弁７ｂより滴下する結露水と共に、導水溝２４に導水されて凹部２０に溜められる。
この凹部２０に溜められた水はスリンガリング３ａによりかきあげられ、プロペラファン３により室外熱交換器２にスプラッシュされ、水の蒸発により熱を奪うことにより室外熱交換器２の熱交換効率が向上する。
【００２９】
【発明の効果】
以上説明したように、本発明による空気調和機の室外機によれば、ベースの前端部中央に、二方弁、三方弁等の接続弁を突設させたので、室内機よりの配管を直接、この接続弁に接続でき、内部配管等の部品が節約できると共に、配管接続作業が取付窓の中央部で行うことができるので工事性を良好とすることができる。
【００３０】
また、この接続弁の下方に、接続弁より滴下する結露水および、室内機よりの配管、配線等と一緒に束ねられたドレン排水管により誘導されたドレン水を受ける排水受皿とを突設させ、同排水受皿の水をベース後部に設けた凹部に導水し、凹部に溜まった水をスリンガリングによりかき上げて室外熱交換器に吹きつけるので、ドレン水の処理と同時に、ドレン水を有効活用して熱交換効率を向上させることができる。
【００３１】
また、ベースの略中央部に、前記排水受皿より排水される水を前記凹部に導水する導水溝を設けたので、排水受皿で受けたドレン水等を部品の追加なしに凹部に導水することができる。
【００３２】
また、電装品箱を、前記前面カバーに形成した第２の切欠孔に開口して臨ませ、この第２の切欠孔に電装品箱カバーを被着するようにしたので、前面カバーを外さずに電装品箱カバーを外すことができる。
【００３３】
また、前記接続弁を、前記ベース後端部に立設した接続弁取付具に固定し、同接続弁取付具を前記第１の切欠孔に臨ませたので、前記第１の切欠孔から接続弁を突出すると共に、第１の切欠孔を接続弁取付具により塞ぐことができる。
また、前記第１の切欠孔に、前記接続弁を覆う弁カバーを設けたので、外観上も良好で、接続弁による熱交換を最小限に止めることができる。
また、この弁カバーを前記排水受皿と一体に形成したので部品点数を増えることがない。
また、前記弁カバーに、前記接続弁の弁開閉部に対応する挿通孔を設けたので弁カバーを外さなくとも配管接続が可能となる。
【図面の簡単な説明】
【図１】従来および本発明による空気調和機の据付けを示す概略図である。
【図２】本発明による空気調和機の室外機の一実施例を示す外観斜視図である。
【図３】本発明による空気調和機の室外機の一実施例を示す分解斜視図である。
【図４】本発明による空気調和機の室外機の一実施例を示す要部断面図である。
【図５】本発明による空気調和機の室外機の接続弁および排水受皿の実施例を示す要部拡大断面図である。
【図６】本発明による空気調和機の室外機の他の実施例を示す要部拡大断面図である。
【図７】従来の空気調和機の室外機を示す要部断面図である。
【図８】従来の空気調和機の室外機を示す分解斜視図である。
【符号の説明】
１  ベース
２  室外熱交換器
３  プロペラファン
３ａ  スリンガリング
４  導風板
５  圧縮機
６  電装品箱
７  接続弁
７ａ  二方弁
７ｂ  三方弁
７ｃ  室内配管接続部
７ｄ  弁開閉部
８  ファンモータ
９  外胴
９ａ  吸込口
１２  前面カバー
１２ａ  第１の切欠孔
１２ｂ  第２の切欠孔
２０  凹部
２１  排水受皿
２１ａ  排水孔
２１ｂ  トイ
２２  接続弁取付具
２３  弁カバー
２３ａ  挿通孔
２４  導水溝
２５  電装品箱カバー
２５ａ  開口
２５ｂ  突出部
３０  室内機
３１  配管
３２  電線
３３  ドレン排水管
４０  室外機
【図１】
0003870499.tif 000002
【図２】
0003870499.tif 000003
【図３】
0003870499.tif 000004
【図４】
0003870499.tif 000005
【図５】
0003870499.tif 000006
【図６】
0003870499.tif 000007
【図７】
0003870499.tif 000008
【図８】
0003870499.tif 000009